(57)【要約】【課題】結線ミスの発生を防止すると共に、簡単に感知器配線ができるようにする。【解決手段】感知器ベース１にＬ端子固定部２とＣ端子固定部３とが設けられ、前記両端子固定部２，３は、それぞれ電線ＬＩ、ＣＩを介して第１コネクタ５に接続されている。第２コネクタ１０は、平行な電線Ｌ、Ｃの両端に設けられたコネクタ１０Ａ、コネクタ１０Ｂとから構成されている。前記第１コネクタ５に必要な第２コネクタのコネクタ部１０Ａ、１０Ｂを連結することにより火災感知器Ｋへの配線が行われる。【選択図】  図１
2004192574.tif 000002
【特許請求の範囲】
【請求項１】
感知器ベースを備えた感知器であって；
前記感知器ベースにＬ端子固定部とＣ端子固定部とが設けられ、
前記両端子固定部は、それぞれ電線を介して第１コネクタに接続されていることを特徴とする感知器。
【請求項２】
電線が、並列な入力側ライン線及び入力側共通線と、並列な出力側ライン線及び出力側共通線、であることを特徴とする請求項１記載の感知器。
【請求項３】
請求項１記載の感知器と、並列な共通線及びライン線の両端にコネクタ部を設けた第２コネクタと、を用いる感知器の配線方法であって；
予め、前記感知器及び前記第２コネクタを製作する工程と；
前記感知器及び前記第２コネクタを設置場所に搬送する工程と；
前記感知器の感知器ベースを設計位置に固定する工程と；
前記感知器の感知器ベースにおける、第１コネクタの入力側コネクタに第２コネクタを接続し、その出力側コネクタに別の第２コネクタを接続する工程と；
を備えていることを特徴とする感知器配線方法。
【請求項４】
請求項１記載の感知器と、並列な共通線及びライン線の両端にコネクタ部を設けた第２コネクタと、を用いる感知器の配線方法であって；
予め、前記感知器及び前記第２コネクタを製作する工程と；
感知器ベースの第１コネクタの入力側コネクタ、又は、出力側コネクタに、第２コネクタの一端のコネクタ部を連結する工程と；
前記感知器ベース及び第２コネクタを設置場所に搬送する工程と；
前記感知器ベースを設計位置に固定する工程と；
一端が前記第１コネクタの入力側コネクタに連結されている、第２コネクタの他端のコネクタ部を、他の第１コネクタの出力側コネクタに接続し、
又、一端が前記第１コネクタの出力側コネクタに連結されている、第２コネクタの他端のコネクタ部を、他の第１コネクタの入力側コネクタに接続する工程と；
を備えていることを特徴とする感知器配線方法。
【発明の詳細な説明】
【０００１】
【発明の属する技術分野】
この発明は、火災感知器等の感知器及びその配線方法に関するものである。
【０００２】
【従来の技術】
火災感知器は、火災受信機等の受信部からの電源兼信号線となる共通線及びライン線の間に、複数の火災感知器が並列に接続されている。
各火災感知器は、天井面等の設置面に固定されて共通線及びライン線に配線が行われるべきベース部と、ベース部に電気的に結合されて火災を検出する動作を行う感知部と、を備えている。このベース部には、共通線及びライン線を送り配線するための入力端子及び出力端子と、が設けられている。
【０００３】
このベース部及び共通線及びライン線を配線する場合には、設置面にベース部をねじで固定した後、前記両線の入力側をそれぞれ入力端子にねじ止めし、又、その出力側をそれぞれ出力端子にねじ止めしている。
【０００４】
この様に、前記端子にねじ止めされる前記線は、入力側が２本、出力側が２本の計４本となるので、面倒であり、結線作業に時間がかかる。又、共通線とライン線とを間違えてねじ止めする、所謂結線ミス、が発生する。
【０００５】
そこで、前記問題を解決するため、前記両線をねじ止めする代わりに、鎖錠金具を用いることが考えられる。この鎖錠金具は、挿入孔を有する筺体の中に係止ばねが収納されており、この挿入孔から電線の端部を挿入すると、該電線は、係止ばねに押圧され固定される（例えば、特許文献１参照）。
【０００６】
【特許文献１】特開２０００−３０１６０号公報
【０００７】
【発明が解決しようとする課題】
従来例には、次の様な問題がある。
（１）共通線及びライン線は、それぞれ現場で各鎖錠金具の挿入孔に一本ずつ挿入されるので、時間がかかり、結線作業能率が良くない。
【０００８】
（２）送り配線は、通常の電気設備では、行われていない配線方式であるので、結線ミス、例えば、ライン線と共通線とを逆に固定する恐れがある。この結線ミスは、見習い等、作業経験年数の浅い者が、特に起こしやすい。
（３）室内の模様替え等に伴い、感知器の配設位置を変更したり、増設したり等する場合には、配線を変更しなければならないが、この変更作業は、通常現場での電線の圧着等が必要となり、簡単でないので、多くの時間と労力が必要となる。
【０００９】
この発明は、上記事情に鑑み、結線ミスが発生しない様にすることを目的とする。他の目的は、簡単に感知器配線ができる様にすることである。
【００１０】
【課題を解決するための手段】
この発明は、感知器ベースを備えた感知器であって；前記感知器ベースにＬ端子固定部とＣ端子固定部とが設けられ、前記両端子固定部は、それぞれ電線を介して第１コネクタに接続されていることを特徴とする。
この発明の電線は、並列な入力側ライン線及び入力側共通線と、並列な出力側ライン線及び出力側共通線、であることを特徴とする。
【００１１】
この発明は、感知器ベースにＬ端子固定部とＣ端子固定部とが設けられ、前記両端子固定部は、それぞれ電線を介して第１コネクタに接続されている感知器と、並列な共通線及びライン線の両端にコネクタ部を設けた第２コネクタと、を用いる感知器の配線方法であって；予め、前記感知器及び前記第２コネクタを製作する工程と；前記感知器及び前記第２コネクタを設置場所に搬送する工程と；前記感知器の感知器ベースを設計位置に固定する工程と；前記感知器の感知器ベースにおける、第１コネクタの入力側コネクタに第２コネクタを接続し、その出力側コネクタに別の第２コネクタを接続する工程と；を備えていることを特徴とする。
【００１２】
この発明は、感知器ベースにＬ端子固定部とＣ端子固定部とが設けられ、前記両端子固定部は、それぞれ電線を介して第１コネクタに接続されている感知器と、並列な共通線及びライン線の両端にコネクタ部を設けた第２コネクタと、を用いる感知器の配線方法であって；予め、前記感知器及び前記第２コネクタを製作する工程と；感知器ベースの第１コネクタの入力側コネクタ、又は、出力側コネクタに、第２コネクタの一端のコネクタ部を連結する工程と；前記感知器ベース及び第２コネクタを設置場所に搬送する工程と；前記感知器ベースを設計位置に固定する工程と；一端が前記第１コネクタの入力側コネクタに連結されている、第２コネクタの他端のコネクタ部を、他の第１コネクタの出力側コネクタに接続し、又、一端が前記第１コネクタの出力側コネクタに連結されている、第２コネクタの他端のコネクタ部を、他の第１コネクタの入力側コネクタに接続する工程と；を備えていることを特徴とする。
【００１３】
【発明の実施の形態】
この発明の第１実施の形態を図１〜図５により説明する。
感知器ベース１には、Ｌ端子固定部２とＣ端子固定部３とが設けられ、これらの端子及びＣ端子固定部２，３には、それぞれ２本の止めねじ２ａ、２ｂ、３ａ、３ｂが設けられている。
【００１４】
赤色リード線ＬI、ＬＯと白色リード線ＣＩ、ＣＯは、それぞれ絶縁体で被覆されており、束ねられて１本のケーブル４にまとめられている。このケーブル４の長さは、例えば１２０ｍｍであるが、その長さは、必要に応じて適宜選択される。リード線ＬＩ、ＬＯの一端は、止めねじ２ａ、２ｂによりＬ端子固定部２に固定され、その他端は第１コネクタ５に接続されている。又、リード線ＣＩ、ＣＯの一端は、止めねじ３ａ、３ｂによりＣ端子固定部３に固定され、その他端は、第１コネクタ５に接続されている。
【００１５】
この第１コネクタ５には、リード線を固定するための、図示しない鎖錠部が設けられているが、この鎖錠部は、前記各リード線ＬＩ、ＣＩ、ＬＯ、ＣＯに対応してそれぞれ設けられている。この鎖錠部は、リード線の挿入される挿入孔と、該リード線を押圧して固定させる係止板ばねと、を備えている。
尚、この鎖錠部には、図示しない係止解除手段が設けられている。
【００１６】
第１コネクタ５は、入力側コネクタ５Ａと出力側コネクタ５Ｂとを備えている。入力側コネクタ５Ａには、赤色のＬ部５ｒと白色のＣ部５ｗとが設けられ、赤色のリード線ＬＩが接続されているＬ部５ｒには、赤色突起６ｒが設けられ、白色リード線ＣＩが接続されているＣ部５ｗには、白色突起６ｗが設けられている。前記各突起６ｒ、６ｗは、同一形状に形成されている。
【００１７】
出力側コネクタ５Ｂには、赤色のＬ部８ｒと白色のＣ部８Ｗとが設けられ、赤色のリード線ＬＯが接続されているＬ部８ｒには、赤色挿入孔９ｒが設けられ、白色のリード線ＣＯが接続されているＣ部８ｗには、白色挿入孔９ｗが設けられている。各挿入孔９ｒ、９ｗは、同一形状に形成されている。
この様な第１コネクタ５は、入力側コネクタ５５Ａと出力側コネクタ５Ｂとが一体でなくても良く、着脱可能にしておくと便利である。
【００１８】
第２コネクタ１０は、各電線Ｌ、Ｃの両端にコネクタ部１０Ａとコネクタ部１０Ｂとを備えている。前記両コネクタ部１０Ａ、１０Ｂは、互いに平行な赤色の電線（ライン線）Ｌと白色の電線（共通線）Ｃを絶縁体で被覆して一本のケーブル１５とされ、一体となっている。前記電線Ｌ、Ｃの長さは、天井裏等の配置に対して、必要に応じて適宜選択される。
【００１９】
前記両コネクタ部１０Ａ、１０Ｂは、コネクタ部１０Ａが出力側コネクタ５Ｂと、又、コネクタ部１０Ｂが入力側コネクタ５Ａと、それぞれ同形に形成され同一機能であり、鎖錠部に接続されているが、各リード線ＬＩ、ＣＩ、ＬＯ、ＣＯから各電線Ｌ、Ｃとなっているだけである。
前記コネクタ部１０Ａは、入力側コネクタ部５Ａと嵌合されるものであり、赤色のＬ部１０ｒと白色のＣ部１０ｗとが設けられている。赤色の電線Ｌが接続されているＬ部１０ｒには、電線Ｌが固定される鎖錠部と、前記赤色突起６ｒが嵌着される赤色挿入孔１１ｒとが設けられている。また、白色の電線Ｃが接続されているＣ部１０ｗには、電線Ｃが固定される鎖錠部と、白色突起６ｗが嵌着される白色挿入孔１１ｗが設けられている。前記両挿入孔１１ｒ、１１ｗは、同一形状に形成されている。
また、前記コネクタ部１０Ｂは、出力側コネクタ部５Ｂと嵌合されるものであり、赤色のＬ部１２ｒと白色のＣ部１２ｗとが設けられている。
赤色の電線Ｌが接続されているＬ部１２ｒには、電線Ｌが固定される鎖錠部と、前記赤色挿入孔９ｒに嵌着される赤色突起１３ｒとが設けられている。
白色の電線Ｃが接続されているＣ部１２ｗには、電線Ｃが固定される鎖錠部と、前記白色挿入孔９ｗに嵌着される白色突起１３ｗとが設けられている。
前記両突起１３ｒ、１３ｗは、同一形状に形成されている。
この様な第２コネクタ１０について、両コネクタ部１０Ａ、１０Ｂは、個別に電線Ｃ、Ｌに接続されているが、第１コネクタ同様、着脱可能としておくことが、便利であり、第１コネクタ５と共用できることでコストを低下させることができる。
上記のような構造による各コネクタ５Ａ、５Ｂ、１０Ａ、１０Ｂは、各突起６ｗ、６ｒ、１３ｗ、１３ｒが必要な挿入孔９ｒ、９ｗ、１１ｒ、１１ｗに挿入されることで、機械的に結合されると同時に（フック掛けなど係止手段を別途設けても良い）、各突起及び各挿入孔内に、詳細に説明しないそれぞれに配置された金具、が接触することで電気的にも結合され導通することとなる。
【００２０】
次に、火災感知器Ｋの配線方法について説明する。
■：準備作業
配線工事に必要なコネクタ付き感知器ベース１、第２コネクタ１０を工場内で、予め製作する。
(1)コネクタ付き感知器ベースの作成：
感知器ベース１のＬ端子固定部２に赤色リード線ＬＩ、ＬＯの一端をねじ止めし、Ｃ端子固定部３に前記白色リード線ＣＩ、ＣＯの一端をねじ止めする。
前記リード線ＬＩ、ＣＩの他端を第１コネクタ５の入力側コネクタ５Ａに連結し、又、前記リード線ＬＯ、ＣＯの他端を第１コネクタ５の出力側コネクタ５Ｂに連結する。
前記他端の連結は、第１コネクタ５の図示しない鎖錠部の挿入孔に各リード線を差し込むことにより完了するので、連結作業は簡単に行うことが出来る。
【００２１】
(2)第２コネクタの作成：
コネクタ部１０Ａとコネクタ部１０Ｂとを互いに平行な電線（ライン線）Ｌ、電線（共通線）Ｃで連結し、第２コネクタ１０を形成する。前記連結は、コネクタ１０Ａ、１０Ｂの鎖錠部の挿入孔に電線Ｌ、Ｃを差し込むことにより完了するので、連結作業は、簡単に行える。この第２コネクタ１０は、配線工事に必要な数だけ準備されるが、各コネクタ部１０の電線Ｌ、Ｃ長さは、必要に応じて適宜選択される。そして、配線Ｌ、Ｃの両端にコネクタ部１０Ａ、又は、コネクタ部１０Ｂを設けることにより、平行な電線Ｌ、Ｃの端部の対を明確にすることになる。
【００２２】
■：配線作業
工場で準備された、前記火災感知器の感知器ベース１、第２コネクタ１０等の器材を、設置予定場所（現場）に運び、天井Ｆの設計位置に置き、感知器ベース１を固定金具のねじ締めして固定する。
次に、感知器ベース１の入力側コネクタ５Ａの突起６ｒ、６ｗを、それぞれ第２コネクタ１０のコネクタ部１０Ａの挿入孔１１ｒ、１１ｗに対向させて差し込み、又、前記出力側コネクタ５Ｂの挿入孔９ｒ、９ｗを、別の電線Ｃ、Ｌが接続された第２コネクタ１０みら突起１３ｒ、１３ｗ、に対向させ差し込む。これによって、それぞれ電気的に接続される。
【００２３】
前記コネクタ部１０Ａが第１コネクタ５に接続されている一対の電線Ｃ、Ｌの他端は、第２コネクタ１０のコネクタ部１０Ｂの突起１３ｒ、１３ｗを、それぞれ感知器ベース１Ａの出力コネクタ５Ｂの挿入孔９ｒ、９ｗに対向させて差し込む。これによりそれぞれ電気的に接続される。
又、前記コネクタ部１０Ｂが第１コネクタ５に接続されている一対の電線Ｃ、Ｌの他端は、第２コネクタ１０のコネクタ部１０Ａの挿入孔１１ｒ、１１ｗを、それぞれ感知器ベース１Ｂの入力側コネクタ５Ａの突起６ｒ、６ｗに対向させて差し込む。これによってそれぞれ電気的に接続される。
【００２４】
この様な要領で、各感知器ベース１の結線を行うが、コネクタを用いることにより電線Ｌ、Ｃの端部の対が明確であり、結線ミスが無く、簡単に結線できる。
即ち、感知器ベース１及び電線Ｌ、Ｃと各コネクタ５，１０との接続作業は、工場で実施され、作業性がよく、現場で行う場合に比べ、誤接続の発生が著しく低下する。さらに、赤白の色分けのみでなく、逆接続を防止する構造をとることによって更に高い効果を発揮することができる。
上記結線作業終了後、感知器ベースに感知器本体１８を装着する。
尚、この様に施工された後に、火災感知器を増設するときにも、第２コネクタ１０を追加して簡便に増設でき、その作業で配線が混乱することはない。
【００２５】
この発明の第２実施の形態を図６〜図８により説明するが、前記図１〜図５と同一図面符号は、その名称も機能も同一である。
本実施の形態と前記第１実施の形態との相違点は、次の通りである。
（１）前記第１実施の形態は、送り配線の必要な火災感知器の配線方法であるのに対し、本実施の形態は、送り配線を必要としない、所謂Ｒ型システムに用いられるアナログ火災感知器の配線方法であること。
本実施の形態では、感知器ベース１のＬ端子固定部２及びＣ端子固定部３にねじ２ｂ、３ａ止めされるのは、それぞれ１本のリード線ＬＩ、ＣＩだけであるので、結線ミスの問題よりは、配線を簡単に早くできることが重要となる。
【００２６】
（２）第２コネクタ１０のコネクタ部１０Ｃとコネクタ部１０Ｄは、互いに第１コネクタ５Ａと同形であるが、挿入孔の代わりに、ボスコネクタ２５の挿入孔２５ａに挿入される、一対の突起２６が設けられていること。
【００２７】
（３）ボスコネクタ２５が設けられていること。
このボスコネクタ２５は、４方向の正立方形状に形成され、各面には、第１コネクタ５Ａ、第２コネクタのコネクタ部１０Ｃ，１０Ｄの突起６ｒ、６ｗ、２６が挿入される、一対の挿入孔２５ａ、２５ｂがそれぞれ設けられている。
【００２８】
この実施の形態では、ボスコネクタ２５に、第１コネクタ５Ａ、第２コネクタのコネクタ部１０Ｃ、１０Ｄを接続するだけで、簡単に結線ができる。
【００２９】
この発明の第３実施の形態を図９により説明するが、前記図１〜図８と同一図面符号は、その名称も機能も同一である。
本実施の形態と前記第２実施の形態との相違点は、火災感知器の位置を変更したり、増設したりして配線を変更することである。
この実施の形態では、増設位置に感知器ベース３１，３２，３３を固定し、該感知器ベース３１、３２、３３を第１コネクタ５Ａに連結し、この各第１コネクタ５Ａを、ボスコネクタ２５ａ、２５ｂ、２５ｃに差し込む。
【００３０】
前記ボスコネクタ２５ａ，２５ｂは、第２コネクタ１０を介してボスコネクタ２５に接続され、前記ボスコネクタ２５ｃは、第２コネクタ１０を介してボスコネクタ２５ｂに連結されている。
【００３１】
この発明の実施の形態は、上記に限定されるものではなく、例えば、次の様にしても良い。
（１）工場で、予め、感知器ベースの第１コネクタの入力側コネクタ、又は、出力側コネクタの一方を、第２コネクタの一方のコネクタ部を連結した後、現場に搬送すること。この様にすると、現場でのコネクタ接続回数を少なくすることができるので、配線作業を能率良く行うことが出来る。
【００３２】
（２）現場で、第２コネクタを実際に必要な長さに合わせて製作すること。
（３）共通線とライン線の終端抵抗接続にもコネクタを接続し、この終端抵抗接続もコネクタ化することができる。
（４）コネクタの連結状態を維持するための脱落防止手段、を設けても良い。このの様に脱落防止手段を設けると、断線事故を防止することができる。
【００３３】
（５）第１コネクタの突起の代わりに、挿入孔を形成し、又、第２コネクタの挿入孔の代わりに、突起を形成すること。
（６）第１コネクタの各突起の形状を異ならしめ、又、これに対応して第２コネクタの挿入孔を形成すること。この様にすると、位置合わせが確実に行えるので、配線ミスは確実に防止することができる。
【００３４】
（７）本発明の第３実施の形態は、送り配線の必要のない、Ｒ型システムとしてのアナログ火災感知器の配線方法に関するものであるが、送り配線の必要な火災感知器の配線の増設にも利用できることは  勿論である。
【００３５】
【発明の効果】
この発明は、感知器ベースのＬ端子固定部及びＣ端子固定部を、それぞれ電線を介して第１コネクタに連結したので、現場等で、感知器ベースに対する共通線及びライン線の固定作業を行う必要がない。そのため、結線ミスが無くなるとともに、配線工事も簡単に、且つ、迅速に行うことが出来る。
【００３６】
この発明は、予め、第１コネクタの付いた感知器と第２コネクタを準備し、第１コネクタと第２コネクタとを連結するだけで、結線できる。
そのため、配線作業は、配線ミス無く、迅速に行うことができるので、従来例に比べ、著しく作業効率が向上する。又、感知器の位置変更、増設に伴う配線の変更にも、容易に対応することが出来る。
【図面の簡単な説明】
【図１】本発明の第１実施の形態を示す平面図である。
【図２】第１コネクタの斜視図である。
【図３】第２コネクタの斜視図である。
【図４】第１コネクタをケーブルに接続した状態を示す斜視図である。
【図５】火災感知器の設置状態を示す正面図である。
【図６】本発明の第２実施の形態を示す平面図である。
【図７】第１コネクタをケーブルに接続した状態を示す斜視図である。
【図８】火災感知器の設置状態を示す正面図である。
【図９】本発明の第３実施の形態を示す平面図である。
【符号の説明図】
１  感知器ベース
２  Ｌ端子固定部
３  Ｃ端子固定部
５  第１コネクタ
10  第２コネクタ
【図１】
2004192574.tif 000003
【図２】
2004192574.tif 000004
【図３】
2004192574.tif 000005
【図４】
2004192574.tif 000006
【図５】
2004192574.tif 000007
【図６】
2004192574.tif 000008
【図７】
2004192574.tif 000009
【図８】
2004192574.tif 000010
【図９】
2004192574.tif 000011